(57)【要約】【課題】  往来のＬＥＤ発光による安全対策品においては、装着者以外の歩行者・走行者、ドライバー、ライダーなどの認識者から見て確認しづらいなどの点が上げられる。【解決手段】  明細書に定義した“イリス効果”による拡散発光体はＬＥＤ本来の色を反映し、美しく大きく動きのある発光体と化すため安全対策品として優れた効果を発揮する。図１の様に各所に複数個配置、装着した拡散発光体によって装着者のシルエットが遠方からでもはっきりと確認が出来る為、歩行者、走行者、ドライバー、ライダーなどの認識者は早めに回避行動に移ることが容易に行える。【選択図】図１
2010205459.tif 000002
【特許請求の範囲】
【請求項１】
「LED光源から発せられた光が届く範囲内の光散毛（LED光源の光を反射、透過、拡散発光させるために使用する明色の各種繊維や生きた動物の被毛）又は直接生体への装着においては被毛の根本から毛先に至るまで、全てが反射、透過、拡散し、時にはLED光源本体の数百倍サイズの発光体のごとく確認できる現象及び光拡散効果（“イリス効果”）」を利用したLED光源拡散発光技法
【請求項２】
請求項１の“イリス効果”を利用した夜間歩行安全対策品
【請求項３】
請求項１の“イリス効果”を利用した装飾品
【請求項４】
請求項１の“イリス効果”を利用したディスプレイ
【発明の詳細な説明】
【技術分野】
【０００１】
本発明は、動物、人、その他の動体（自転車、車、自動二輪車など）に装着又は装備し、美しく認識性の高い発光により装着者の安全を守る夜間装飾性の高い、LED光源拡散発光技法である。尚、ディスプレイ、観賞用としての用途もある。
【背景技術】
【０００２】
夜間歩行者及び犬その他愛玩動物へ装着する安全装備品又は装飾品は、出願時点において、アクセサリー的要素の強い、小型チップLEDとボタン電池を内蔵し、ぶら下げるためのフックを付けたものや反射材又は蓄光材などを使用した首輪や牽引綱などが最も多く利用されているものとして判断出来る。
【０００３】
「以下、夜間歩行時の安全性確保において有用でありこの技法に近いと思われる技術」
蓄光性顔料を使用した衣服、首輪（特許文献１参照）
【０００４】
反射テープを利用したペット用光る引き綱（特許文献２参照）（これは光の照射が必要である。）
【０００５】
LEDを発光源とした蛍光剤を含有する熱可塑性ポリウレタンエラストマー引き綱  自己発光ロープ、およびこれを利用したペット用曳き綱（特許文献３参照）
【０００６】
LEDを発光源とした  動物誘導用補助具（特許文献４参照）(引き綱に装着、一応反射透過)
【０００７】
LEDを発光源とした首輪（特許文献５参照）
【０００８】
LEDを発光源とし、中空パイプ内を発光させる動物用牽引具（特許文献６参照）
【０００９】
帯状エレクトロルミネッセンスによる面発光体及び該面発光体を利用したペット用保持具（特許文献７参照）
【００１０】
「以下は犬及び夜間歩行時に関連付けられていない技術」
屈折率の異なる物質を透明プラスチックに添加又は透明プラスチックが結晶性の場合は結晶化させて、ＬＥＤなどから入射した光を散乱させる多色自発光装飾品（特許文献８参照）
【００１１】
ロープライト（特許文献９参照）
【００１２】
明るさセンサ人感センサ付き照明器具（特許文献１０参照）などがある。
【先行技術文献】
【特許文献】
【００１３】
【特許文献１】特開２００５−０６５５８９号公報
【特許文献２】特開平１１−５６１５６号公報
【特許文献３】特開２００１−２７９５８７号公報
【特許文献４】特開２００６−２０４２７７号公報
【特許文献５】特開２００５−１５１８８９号公報
【特許文献６】特開２００１−２６９０７７号公報
【特許文献７】特開２００１−３３３６５６号公報
【特許文献８】特開２００１−２４３８０２号公報
【特許文献９】特開２００６−２０２５００号公報
【特許文献１０】特開２００８−２３５１１７号公報
【発明の概要】
【発明が解決しようとする課題】
【００１４】
この出願時点、夜間、歩道や公園などにおいて最も危険と思われる無灯火での自転車の走行等が上げられる。さらに加えて自転車の走行でさえもLEDを利用している光景が日増しに増えている。歩行者の安全の為に開発されてきた蓄光材や反射素材を利用した商品においては、自転車に装着されたLEDの光量では十分な反射は起こらずほとんどの場合役目を果たせない。車や２輪車の十分な光量を持ったヘッドライト等において初めて強い反射が起こり認識されるものである。
【００１５】
「“認識者”の定義」
装着者から見て相手方の歩行者、走行者、ドライバー、ライダー、これを以降  “認識者”と定義する。
【００１６】
又、LEDを利用した安全対策商品における問題点はその大半がLED光源むき出しの状態（直接光）又は樹脂製のカバーがなされている状態にあるアクセサリー的要素を持った製品が多く見受けられ、いずれの場合も認識者から見た場合小さな点にすぎないため、距離感も掴み辛く、装着者のサイズや形状は確認できない。
【００１７】
光量の強い単一発光商品も見かけるが、やはり強い光を放つ点が確認できるだけであり、装着者がどのような物体であるか認識者が判断するためには接近しなければならない。ただし接近すれば認識者の目に悪影響を及ぼし、直視出来ぬこともある。
【００１８】
装着者へ装着するポジション的な要素を考えるならば、小さな光る点をどこに配置したら良いかである。例を挙げれば左側へ装着すれば右からきた認識者には全く見えず、前に装着すれば後方から近づく認識者には見えないこととなる。
【００１９】
更に、大きく重い安全対策品では歩行の妨げとなる。
【課題を解決するための手段】
【００２０】
「“繊維”の定義」
植物繊維（綿、麻）動物繊維（絹、羊毛、アルパカ、ヤク、ラクダ、ウサギ、アンゴラ、カシミヤ、モヘア、ダウン、フェザー）再生繊維（レーヨン、キュプラ、ポリノジック）半合成繊維（アセテート、トリアセテート、プロミックス）合成繊維（ナイロン、ポリエステル、アクリル、ポリ塩化ビニル、ポリウレタン、）これを以下“繊維”と定義する
【００２１】
「“光散毛”の定義」
LED光源の光を反射、透過、拡散発光させるために使用する明色の繊維や生きた動物の被毛、これを以下“光散毛”と定義する
【００２２】
「“イリス効果”の定義」
LED光源から発せられた光が届く範囲内の光散毛又は実施例１においては被毛の根本から毛先に至るまで、全てが反射、透過、拡散し、時にはLED光源本体の数百倍サイズの発光体のごとく確認できる現象及び光拡散効果を以下“イリス効果”と定義する
【００２３】
本発明はLED光源の周囲に光散毛を配置又は直接生体の被毛の根本付近に忍ばせ（実施例１）、その光散毛にLED光を反射、透過、拡散させる技法である。
【発明の効果】
【００２４】
イリス効果はLED光源の電気的、光学的特性と光散毛の状態において変化する。
【００２５】
光散毛の状態とLED光源の光度が一定である場合、照射角度において広角な指向特性を持ったLED光源を使用すれば横方向へのイリス効果が高まり、大きな発光体となる。
【００２６】
このイリス効果による拡散発光体はLED光源の光を光散毛に反射、透過、拡散させた言わば間接照明であるため認識者の目に優しいこと。
【００２７】
光散毛の状態に応じて刻々と形状が変化（風に靡くなどして）する発光体であること。
【００２８】
光散毛の状態に応じて大きな拡散発光体となり実施例１の場合などにおいては装着者のシルエットが浮かび形状もはっきりするため認識者は遠方からでも容易に確認でき、夜間の安全性においても安心して歩くことができる。
【００２９】
このイリス効果による拡散発光の性質はLED光源本来の色を再現した発光体と化すため見た目にも非常に美しいことなどが上げられる。
【図面の簡単な説明】
【００３０】
【図１】図１は生体の被毛を利用した直説法の実施方法を示した図面代用写真である。（実施例１）
【図２】図２は実施例１の“ティアラユニット”を示した図面代用写真である。
【図３】図３は実施例１の“テールライトユニット”を示した図面代用写真である。
【図４】図４は実施例１の“ハーネスユニット”を示した図面代用写真である。
【図５】図５は実施例１の電力供給部“リードユニット”を示した図面代用写真である。
【図６】図６は実施例１の電力供給部“バッテリーユニット”を示した図面代用写真である。
【図７】図７は図５のリードユニット内サブロープの断面図を示した図面代用写真である。
【図８】図８は定電圧安定供給回路図を示した図面代用写真である。
【図９】図９は間接法を利用した実施方法を示した図面代用写真である。(実施例２）
【発明を実施するための形態】
【００３１】
以下、本発明の実施の形態を図１〜図９に基づいて説明する。
【実施例１】
【００３２】
「“直説法”の定義」
犬又はその他の動物にLED光源を図２、図３、図４などの各ユニットを使い直接配置、装着し、装着者の被毛を利用し拡散発光させる方法を以下“直説法”と定義する。
以下に直説法の実施例１を記す。
【００３３】
ステンレス、チタニウム、金、白金などのアレルギー反応を起こしにくい金属類を使用し骨格に合わせガイドを形成（図２Ｇ）の実施例には０．９ｍｍのステンレスを使用、尚このガイド部分は装着時に隠れてしまう
【００３４】
これに軽量化への配慮として小型LED（チップLEDサイズ１２２４．１６０８．３０３４．３２２８．６０５０など  丸形LEDサイズ３ｍｍ〜５ｍｍ角形サイズ３ｍｍ〜５ｍｍ程度、）を配置する（図２：Ｌ１：Ｌ２、図３：Ｌ３：Ｌ４、）
【００３５】
（図２、図３のＥＷ）電線を使用し配線する。半田付け接合部には樹脂（実施例の場合グルースティックを使用）などを使いカバーする。
【００３６】
図２と図３のEWCは電線の保護と被毛に絡まぬよう配慮したものである。Oコンセントの丸ピンシングルソケット２Ｐはオス、メス両方の機能を持っており、条件に応じて一方を電線と半田付けし電力供給ユニット図５などとのジョイントを成している。
【００３７】
電力の供給は２通りあり、電力供給ユニット図５と図６を回して供給されるものと、図４Hからの供給がある。
【００３８】
電源供給リードユニットは４ｍｍガイロープをメインロープとし４ｍｍポリプロピレン中空ロープ゜の内部にEW２耐熱電子ワイヤーAWG２８を通したサブロープ２本を縒った構造であり、メインロープの両端にレバースナップを取り付けサブロープへの張力を軽減している。
【００３９】
尚、図５には記していないがサブロープの内部にL1を数カ所配置し、図５と図６の間に点滅回路を回しＬ１の点滅によりEWCを点滅発光させ夜間歩行の安全対策ともしている。
【００４０】
図６のF部分には図８の回路を配置し電力の安定供給及び光源部の熱対策ともなっている。
【００４１】
図４Hに装着するボタン電池（このホルダーの場合３Vリチウム電池CR２０３２）の容量は少なく、長時間の点灯には向いていないと考える。無論数個のLEDであれば数時間は間違いなく発光できるがあくまで予備的な要素として取り付けてある。
【実施例２】
【００４２】
「“間接法”の定義」
１．LED光源に光散毛を直接接着ないし植え込む又はシリコンラバー製のキャップ、樹脂製のカバー、リフレクターなどに光散毛を接着ないし植え込み（取り外し可能となる）しイリス効果を発生させる。
２．発泡スチロールの核にLED光源を配置し周囲に光散毛を接着又は貼り付けイリス効果を発生させるなど。
以上を“間接法”と定義する。
【００４３】
図９Iは間接法による装飾用LED光源拡散発光体である。これは図1の犬の被毛をグルースティックにてLEDに接着（植えたとも表現できる）し拡散発光させている。又、図９には示していないが帽子のツバの裏に図４Hを取り付け隠されたEWを回し電力を供給している至ってシンプルな作りとなっている。
【００４４】
グレースケールでは確認できないが図９において、光散毛の毛先まで昼間でもLED光源のカラーに拡散発光している
【００４５】
図４L３と図４CC部分にはコットンをL３に接着してある、これは直説法と間接法の中間的な手法を示している。これはLED光源の光が直接認識者の目に曝されしまう場合などに用いる手法である。コットンを光散毛として拡散した光は指向性が変わり周りの被毛を巻き込み柔らかい発光体と化す特徴を持っている。
【００４６】
「直説法、間接法問わず実際に生体への装着において、重要なポイント、光源部熱対策として」
１． LED及び半田付けされた電極などを直接皮膚に接触せぬよう２ｍｍ〜５ｍｍ浮かすこと
２．気温摂氏２５度で発光させ、光源部分の温度が装着体の体温＋２〜３度を超えぬこと（装着体が犬の場合、体温は３８度ほど、よって４０度付近となる）尚、計算上間違っていなくとも実際に発光をさせるとLEDの性質によってはグルースティックを溶解するほどの熱が発生してしまうこともあり、注意が必要であるため製造過程でのチェックは必須と考える。
【００４７】
「電力及び光源の熱管理に使用するもの」
１．炭素皮膜抵抗（LED製品自体の性能にバラツキがあるせいか計算値が通用しない場合も考えられるので、チェックを実際に発光源の温度を測りながら抵抗値を変える必要がある）
２．電力の安定供給を図るため低損失タイプの３端子レギュレータなどを用いた回路（図８）を電源部に配置する（図６H）
【産業上の利用可能性】
【００４８】
明色の繊維などを使った縫いぐるみなどに装着し、店頭のディスプレイなどにも応用できる。又、イリス効果を利用した発光体は軽量に製作出来るため衣服や帽子などの装飾にも活用可能である。
【符号の説明】
【００４９】
A  発光源に１６０８サイズウォーターブルーチップLEDX1を使用した“ティアラユニット”フロント部分がイリス効果により拡散発光体と化している領域を示している。
B  発光源に５ｍｍフルカラーLEDX1を使用した“ティアラユニット”左耳部分がイリス効果により拡散発光体と化している領域を示している。
BC  スイッチ付き電池ケース単３Ｘ３本用
C  発光源に５ｍｍフルカラーLEDX1を使用した“テールライトユニット”メイン部分がイリス効果により拡散発光体と化している領域を示している。
CC  コットン
D  発光源にＬ３の３ｍｍウォーターブルーLEDX3（“ハーネス”部分）とＬ１ｂの１６０８サイズウォーターブルーチップLED（“ティアラユニット脱着フック”部分）がイリス効果によりリング状結合拡散発光体と化している領域を示している。
EW  電線（ジュンフロン、ETFE電線AWG30）
EW2  電線（耐熱電子ワイヤーAWG２８）
EWC  電線カバー（４ｍｍポリプロピレン中空ロープ゜）
F  図８の定電圧安定供給回路実施例部分
G  ガイド（アレルギー反応を起こしにくい金属を使用）
GH  ハーネス本体（本牛革使用）
H  ボタン電池基盤取付用ホルダー
Ｉ  間接法による装飾用LED光源拡散発光体
J  樹脂によって保護された半田付け接合部
JP  ジャンパーホック  １３ｍｍ
K  カラビナ
L1  １６０８サイズウォーターブルーチップLED
Ｌ１b  “ティアラユニット”後頭部分に取り付けられた１６０８サイズウォーターブルーチップLED（Ｄの説明用）
L2  樽型5mmフルカラーLED
L3  樽型3mmウォーターブルーLED
L4  樽型３mmウォーターグリーンLED
O  ミニコンセント（丸ピンシングルソケット２P使用）
S  レバースナップ
SP  図６のEWC切断面
P  ハーネスユニット、ブレストガード保護パット部分
R  炭素皮膜抵抗１／６Ｗ
【図１】
2010205459.tif 000003
【図２】
2010205459.tif 000004
【図３】
2010205459.tif 000005
【図４】
2010205459.tif 000006
【図５】
2010205459.tif 000007
【図６】
2010205459.tif 000008
【図７】
2010205459.tif 000009
【図８】
2010205459.tif 000010
【図９】
2010205459.tif 000011